(57)【要約】【課題】本発明の目的は、シンクライアントタイプの情報処理システムにおいて、ホスト計算機に接続するまでの時間を短縮するための制御方法を提供することにある。【解決手段】ホスト計算機への接続に関する情報をクライアント端末１に接続した認証デバイス３内に格納する。認証デバイス３にはホスト計算機に接続するためのホスト計算機接続情報が格納されている。このホスト計算機接続情報を参照して、ＯＳまたはＢＩＯＳがホスト計算機との接続確立をシンクライアント端末１の初期化と合わせて行うことで、クライアント端末１の早い起動を可能にする。【選択図】図１
2009037385.tif 000002
【特許請求の範囲】
【請求項１】
ホスト計算機接続情報を有する認証デバイスが接続されたクライアント端末とホスト計算機をネットワーク経由で接続するシンクライアントシステムにおけるクライアント端末の起動方法であって、
ＯＳ起動中の前記クライアント端末のＣＰＵが前記ホスト計算機接続情報を前記認証デバイスに要求するホスト計算機接続情報要求ステップと、
前記ホスト計算機接続情報を参酌し前記ホスト計算機を起動するための起動パケットをクライアント端末が送信するホスト計算機起動パケット送信ステップと、
前記起動パケットを受けて前記ホスト計算機が起動するホスト計算機起動ステップと、
前記ホスト計算機起動パケット送信ステップによる起動パケット送信後、前記クライアント端末のＯＳの起動を行うクライアント端末ＯＳ起動ステップと、
前記クライアント端末がユーザ認証を行うユーザ認証ステップと、
前記ユーザ認証ステップによるユーザ認証に成功した場合、前記クライアント端末が前記ホスト計算機に接続するシンクライアントシステム起動ステップを有することを特徴とするクライアント端末の起動方法。
【請求項２】
ホスト計算機接続情報を有する認証デバイスが接続されたクライアント端末とホスト計算機をネットワーク経由で接続するシンクライアントシステムにおけるクライアント端末の起動方法であって、
ＢＩＯＳ起動中の前記クライアント端末のＣＰＵが前記ホスト計算機接続情報を前記認証デバイスに要求するホスト計算機接続情報要求ステップと、
前記ホスト計算機接続情報を参酌し前記ホスト計算機を起動するための起動パケットをクライアント端末が送信するホスト計算機起動パケット送信ステップと、
前記起動パケットを受けて前記ホスト計算機が起動するホスト計算機起動ステップと、
前記ホスト計算機起動パケット送信ステップによる起動パケット送信後、前記クライアント端末のＯＳの起動を行うクライアント端末ＯＳ起動ステップと、
前記クライアント端末がユーザ認証を行うユーザ認証ステップと、
前記ユーザ認証ステップによるユーザ認証に成功した場合、前記クライアント端末が前記ホスト計算機に接続するシンクライアントシステム起動ステップを有することを特徴とするクライアント端末の起動方法。
【請求項３】
請求項１または２に記載のクライアント端末の起動方法において、更に前記ホスト計算機起動ステップによる起動後、所定期間を計測し、その間前記クライアント端末から前記ホスト計算機に接続がなければ前記ホスト計算機が自身の電源を切断するホスト計算機タイムアウトステップを含むことを特徴とするクライアント端末の起動方法。
【請求項４】
請求項１または２に記載のクライアント端末の起動方法において、前記クライアント端末には更に生体認証用センサが接続され、前記認証デバイスは更にユーザ生体認証データを有し、
前記ユーザ認証ステップは前記生体認証用センサからの入力結果と、前記ユーザ生体認証データによりユーザ認証を行うことを特徴とするクライアント端末の起動方法。
【請求項５】
請求項１または２に記載のクライアント端末の起動方法において、前記ホスト計算機接続情報には、ＩＰアドレスまたはＭＡＣアドレスが含まれることを特徴とするクライアント端末の起動方法。
【請求項６】
ＣＰＵと、外部インターフェイス処理部と、ブートストラップ処理を行うＢＩＯＳを格納した不揮発性メモリと、通信制御部と、外部インターフェイス処理部を有するシンクライアントシステムにおけるクライアント端末において、
前記ＣＰＵは前記ＢＩＯＳを読み出し、ブートストラップ処理中に前記通信制御部と前記外部インターフェイス処理部の初期化を行い、前記外部インターフェイス処理部を経由して前記通信制御部の動作に必要なホスト計算機接続情報を取得することを特徴とするクライアント端末。
【請求項７】
請求項６に記載のクライアント端末において、前記外部インターフェイス処理部には認証デバイスが接続され、前記ホスト計算機接続情報を前記認証デバイスから取得することを特徴とするクライアント端末。
【請求項８】
請求項７に記載のクライアント端末において、更に通信制御部を有し、前記ＣＰＵは前記ホスト計算機接続情報を参酌して前記通信制御部の初期化を行うことを特徴とするクライアント端末。
【請求項９】
請求項８に記載のクライアント端末において、前記ブートストラップ処理中の前記ＣＰＵは初期化後の前記通信制御部を利用して、ホスト計算機に起動パケットを送信することを特徴とするクライアント端末。
【請求項１０】
請求項７に記載のクライアント端末において、前記認証デバイスには更にユーザ生体認証データが格納され、ＯＳ起動後の認証時に前記ユーザ生体認証データを用いてユーザ認証処理を行うことを特徴とするクライアント端末。
【発明の詳細な説明】
【技術分野】
【０００１】
本発明はネットワークを介してリモート操作を行うシンクライアントタイプの計算機システムにおける情報処理に係り、ホスト計算機に接続するまでの時間を短縮するための制御方法に関する。
【背景技術】
【０００２】
近年、ノート型パーソナルコンピュータの盗難や紛失による個人情報や機密情報が漏えいするケースが増加し、企業や自治体など個人情報を取り扱う機関をはじめ、社会的な情報セキュリティに対する関心が高まっている。
【０００３】
現在、ＰＣメーカー各社からクライアント側に記憶媒体を持たないシンクライアントタイプの情報処理システムが提供されており、今後、記憶媒体を搭載したＰＣはシンクライアントタイプに置き換わると予想される。
【０００４】
特開２００５−２３５１５９号公報（以下特許文献１）には、利用者の認証デバイスとして耐タンパデバイスを内蔵するストレージデバイスを利用することでユーザのクライアント利用時のセキュリティ及び利便性を向上させるリモートアクセス可能なシンクライアントシステムを提供する技術が開示されている。
【特許文献１】特開２００５−２３５１５９号公報
【発明の開示】
【発明が解決しようとする課題】
【０００５】
しかし、特許文献１記載のシンクライアントタイプの情報処理システムにおいては、ユーザがクライアント端末の電源投入後、クライアント端末のユーザ認証が完了した後、ホスト計算機の接続情報を読込みホスト計算機を電源ＯＮする。このため、クライアント端末が使用可能な状態になるまで時間が掛かり使用者がストレスを感じることがある。
【０００６】
本発明の目的は、上記問題を解決し、シンクライアントタイプの情報処理システムにおいて、ホスト計算機に接続するまでの時間を短縮するための制御方法を提供することにある。
【０００７】
本発明の前記並びにその他の目的と新規な特徴は、本明細書の記述及び添付図面から明らかになるであろう。
【課題を解決するための手段】
【０００８】
本願において開示される発明のうち、代表的なものの概要を簡単に説明すれば、次の通りである。
【０００９】
本発明に関わるクライアント端末の起動方法は、ホスト計算機接続情報を有する認証デバイスが接続されたクライアント端末とホスト計算機をネットワーク経由で接続するシンクライアントシステムに関するものであって、ＯＳ起動中のクライアント端末のＣＰＵがホスト計算機接続情報を認証デバイスに要求するホスト計算機接続情報要求ステップと、ホスト計算機接続情報を参酌しホスト計算機を起動するための起動パケットをクライアント端末が送信するホスト計算機起動パケット送信ステップと、起動パケットを受けてホスト計算機が起動するホスト計算機起動ステップと、ホスト計算機起動パケット送信ステップによる起動パケット送信後、クライアント端末のＯＳの起動を行うクライアント端末ＯＳ起動ステップと、クライアント端末がユーザ認証を行うユーザ認証ステップと、ユーザ認証ステップによるユーザ認証に成功した場合、クライアント端末が前記ホスト計算機に接続するシンクライアントシステム起動ステップを有することを特徴とする。
【００１０】
また、本発明に関わる別のクライアント端末の起動方法は、ホスト計算機接続情報を有する認証デバイスが接続されたクライアント端末とホスト計算機をネットワーク経由で接続するシンクライアントシステムに関するものであって、ＢＩＯＳ起動中のクライアント端末のＣＰＵがホスト計算機接続情報を認証デバイスに要求するホスト計算機接続情報要求ステップと、ホスト計算機接続情報を参酌しホスト計算機を起動するための起動パケットをクライアント端末が送信するホスト計算機起動パケット送信ステップと、起動パケットを受けてホスト計算機が起動するホスト計算機起動ステップと、ホスト計算機起動パケット送信ステップによる起動パケット送信後、クライアント端末のＯＳの起動を行うクライアント端末ＯＳ起動ステップと、クライアント端末がユーザ認証を行うユーザ認証ステップと、ユーザ認証ステップによるユーザ認証に成功した場合、クライアント端末が前記ホスト計算機に接続するシンクライアントシステム起動ステップを有することを特徴とする。
【００１１】
これらのクライアント端末の起動方法は、更にホスト計算機起動ステップによる起動後、所定期間を計測し、その間クライアント端末からホスト計算機に接続がなければホスト計算機が自身の電源を切断するホスト計算機タイムアウトステップを含んでも良い。
【００１２】
またこれらのクライアント端末の起動方法では、クライアント端末には更に生体認証用センサが接続され、認証デバイスはユーザ生体認証データを有し、ユーザ認証ステップは生体認証用センサからの入力結果と、ユーザ生体認証データによりユーザ認証を行うことを特徴としても良い。
【００１３】
またこれらのクライアント端末の起動方法では、ホスト計算機接続情報には、ＩＰアドレスまたはＭＡＣアドレスが含まれても良い。
【００１４】
本発明に関わるシンクライアントシステムにおけるクライアント端末はＣＰＵと、外部インターフェイス処理部と、ブートストラップ処理を行うＢＩＯＳを格納した不揮発性メモリを有し、ＣＰＵはＢＩＯＳを読み出し、ブートストラップ処理中に通信制御部と、外部インターフェイス処理部の初期化を行い、外部インターフェイス処理部を経由して通信制御部の動作に必要なホスト計算機接続情報を取得することを特徴とする。
【００１５】
またこのシンクライアントシステムにおけるクライアント端末は、外部インターフェイス処理部には認証デバイスが接続され、ホスト計算機接続情報をこの認証デバイスから取得することを特徴としても良い。
【００１６】
またこのシンクライアントシステムにおけるクライアント端末は、更に通信制御部を有し、このクライアント端末のＣＰＵはこのホスト計算機接続情報を参酌して通信制御部の初期化を行うことを特徴としても良い。
【００１７】
またこのシンクライアントシステムにおけるクライアント端末は、ブートストラップ処理中のＣＰＵが初期化後の通信制御部を利用して、ホスト計算機に起動パケットを送信しても良い。
【００１８】
またこのシンクライアントシステムにおけるクライアント端末の認証デバイスには更にユーザ生体認証データが格納され、ＯＳ起動後の認証時にユーザ生体認証データを用いてユーザ認証処理を行うことを特徴としても良い。
【発明の効果】
【００１９】
本願において開示される発明のうち、代表的なものによって得られる効果を簡単に説明すれば以下の通りである。
【００２０】
本発明によれば、シンクライアントタイプの情報処理システムにおいて、ユーザがクライアント端末を電源ＯＮした後、ホスト計算機を使用可能になるまでの時間を短縮させることが可能となる。
【発明を実施するための最良の形態】
【００２１】
以下本発明の実施の形態について図面を用いて詳細に説明する。
【００２２】
（第１の実施の形態）
図１は、本発明の第１の実施の形態に関わるシンクライアントタイプの情報処理システムにおける構成及び接続形態を示す図である。このシンクライアントタイプの情報処理システムは大別するとクライアント端末１及びホスト計算機２、認証デバイス３から構成される。
【００２３】
クライアント端末１にはデータ記憶部１０、中央演算処理部１３、通信制御部１４、画像表示処理部１５、及び外部インターフェイス処理部１６が搭載されている。また、不揮発性の記録手段として、不揮発性メモリ８を含む。
【００２４】
不揮発性メモリ８中には電源投入時のブートストラップ処理で用いられるＢＩＯＳ９が格納されている。
【００２５】
ＢＩＯＳ（Ｂａｓｉｃ  Ｉｎｐｕｔ／Ｏｕｔｐｕｔ  Ｓｙｓｔｅｍ）はデータ記憶部１０等に対する基本的な入出力手段をオペレーティングシステム１２などに提供するプログラム群である。
【００２６】
オペレーティングシステム（ＯＳ）１２は、クライアント端末１全体を管理する基本ソフトウェアのことを言う。
【００２７】
データ記憶部１０はハードディスク等の大容量記憶手段である。このデータ記憶部１０中にリモート操作プログラム１１とオペレーティングシステム１２がインストールされている。
【００２８】
リモート操作プログラム１１はホスト計算機２との間でシンクライアントシステムを構築するためクライアント端末１側で動作するプログラムである。
【００２９】
中央演算処理部（ＣＰＵ）１３は当該端末のオペレーティングシステム１２やリモート操作プログラム１１を実行する演算処理モジュールである。
【００３０】
通信制御部１４はクライアント端末１を外部に接続するためネットワーク４に接続されている通信用モジュールである。
【００３１】
画像表示処理部１５にはディスプレイ１７が接続されており、中央演算処理部１３によって処理された結果をディスプレイ１７経由で使用者に開示する。
【００３２】
外部インターフェイス処理部１６には入力装置１８、生体認証用センサ１９及び認証デバイス３が接続されている。
【００３３】
一方、ホスト計算機２にはデータ記憶部２０、中央演算処理部２３、通信制御部２４、画像表示処理部２６及び外部インターフェイス処理部２５が搭載されている。なお、本来的にはホスト計算機２にもＢＩＯＳ等は含まれるが本発明では特に積極的に関わらないので省略する。
【００３４】
データ記憶部２０はハードディスク等の大容量記憶手段である。このデータ記憶部２０中に被リモート操作プログラム２１とオペレーティングシステム２２がインストールされている。なお、データ記憶部２０には、その他のプログラムやクライアント端末側から操作されたユーザデータも記録される。
【００３５】
被リモート操作プログラム２１はクライアント端末１との間でシンクライアントシステムを構築するためのホスト計算機２側で動作するプログラムのことである。
【００３６】
オペレーティングシステム２２はホスト計算機２全体を管理する基本ソフトウェアのことを言う。
【００３７】
これらの当該計算機のオペレーティングシステム２２や被リモート操作プログラム２１を、ホスト計算機２の中央演算処理部２３が実行する。
【００３８】
また、通信制御部２４はホスト計算機２を外部に接続するためにネットワーク４に接続されている。このネットワーク４を介してクライアント端末１の通信制御部１４と接続される。
【００３９】
認証デバイス３にはユーザ生体認証データ３０及びホスト計算機２の接続情報３１が記録されている。認証デバイス３をクライアント端末の外部インターフェイス処理部１６に接続して、生体認証用センサ１９から入力される生体情報とユーザ生体認証データ３０とを比較してユーザ認証行うことで、クライアント端末１にログインできる。また、クライアント端末１にログイン後、ホスト計算機２の接続情報２１を読み込み、ログオン認証することでホスト計算機２に接続可能となる。
【００４０】
図２は認証デバイス３内のホスト計算機２の接続情報３１を示す模式図である。
【００４１】
認証デバイス３内のホスト計算機２の接続情報３１はホスト計算機２のＭＡＣアドレス３２とＩＰアドレス３３とサブネットマスク３４及びデフォルトゲートウェイ３５を含む形で構成される。
【００４２】
ＭＡＣアドレス３２はデータリンク層による通信時に相手先を特定するアドレスである。
【００４３】
ＩＰアドレス３３はネットワーク層に属するＩＰプロトコルで相手先を特定するアドレスである。ルータを越える様な場合や後述するＭａｇｉｃ  Ｐａｃｋｅｔを用いる場合にはＩＰアドレス３３の特定が必要である。
【００４４】
サブネットマスク３４は自身の属するネットワークか否かを判別する際に用いるネットワーク識別のためのビット列である。
【００４５】
デフォルトゲートウェイ３５はルーティングテーブルでルート選択がなされていないＩＰアドレスに対してデータを送信する際に、送信されるゲートウェイサーバのアドレスのことである。
【００４６】
これらの情報を、システムに必要なもののみを定義することで接続情報３１自体のデータ量を圧縮することも検討すべきである。
【００４７】
ここで図３及び図４を用いて、従来及び本発明に関わるシンクライアントシステムにおける処理手順について説明する。
【００４８】
図３は、従来のシンクライアントシステムの接続手順において、ユーザ操作とクライアント端末の処理内容と認証デバイスを用いた認証手順とホスト計算機の処理、電源管理サーバの処理についてそれぞれ分けて示した図である。一方、図４は、本発明におけるユーザ操作とクライアント端末の処理内容と認証デバイスを用いた認証手順とホスト計算機の処理内容についてそれぞれ分けて示した図である。
【００４９】
なお、ここでは、クライアント端末のユーザ認証手段として、生体認証を用いているとして説明する。また、ここでは、ＯＳ上でこれらが処理することを前提に話をする。
【００５０】
以下従来の技術における接続手順について図３を用いて説明する。
【００５１】
操作者によってクライアント端末の電源が投入されると（ステップＳ１００）、クライアント端末の中央演算処理部１３は操作者に生体認証情報の入力を要求する（ステップＳ１０１）。クライアント端末の操作者は、この認証入力要求に応じて、認証デバイス経由で生体認証情報を入力する（ステップＳ００２）。
【００５２】
生態認証情報が入力されると、中央演算処理部１３は予め認証デバイスに記録されたユーザ生体認証データを読み出し（ステップＳ２０２）、この読み出した生体認証情報とユーザ入力された認証データを比較する（ステップＳ１０２）。
【００５３】
比較の結果、一致しない場合には（ステップＳ１０３：Ｎｏ）、認証情報の入力エラーとして、再入力を要求する。所定回数の入力エラーが発生した場合には、ユーザ認証処理を中止する。
【００５４】
比較の結果、認証データが登録されていた場合には（ステップＳ１０３：Ｙｅｓ）、クライアント端末にシステムログオンし（ステップＳ１０４）、認証デバイスからホスト計算機の接続情報（ステップＳ２０５）を読出して（ステップＳ１０５）、電源管理サーバへホスト計算機電源パケット送信オン要求する（ステップＳ１０６）。
【００５５】
電源管理サーバはホスト計算機へ電源ＯＮパケットを送信（ステップＳ４０６）し、ホスト計算機の電源をＯＮにする（ステップＳ３０６）。
【００５６】
クライアント端末はホスト計算機へ接続し（ステップＳ１０７）、ホスト計算機へログオンする（ステップＳ３０７）。
【００５７】
これに対し、本願発明におけるシンクライアントシステムの接続手順を図４に基づき説明する。なお、本実施の形態においては、クライアント端末１から電源ＯＦＦパケットを送信することにより、ホスト計算機２の電源を切断する機能を有していることとする。また、本実施の形態のホスト計算機２は、ＷＡＫＥ  ＯＮ  ＬＡＮ機能を有していることが前提とされる。
【００５８】
クライアント端末１が電源ＯＮされると（ステップＳ１１０）、クライアント端末１は接続されている認証デバイス３からホスト計算機のホスト計算機接続情報３１を読み出す（ステップＳ１１１、ステップＳ２１１）。ホスト計算機接続情報３１を読出した後（ステップＳ１１１）、クライアント端末はホスト計算機２に電源ＯＮパケットをＭａｇｉｃ  Ｐａｃｋｅｔとして送信し（ステップＳ１１２）、ホスト計算機２は電源ＯＮされる（ステップＳ３１２）。
【００５９】
クライアント端末１は、ホスト計算機２へ電源ＯＮパケット送信後に（ステップＳ１１２）、ユーザに生体認証情報の入力を要求し（ステップＳ１１３）、クライアント端末のユーザは、この認証入力要求に応じて、生体認証情報を入力する（ステップＳ０１４）。
【００６０】
クライアント端末は予め認証デバイス３に記録されたユーザ生体認証データ３０を読出し（ステップＳ２１４）、この読出した生体認証情報と、ユーザにより生体認証用センサ１９から入力された認証情報を比較する（ステップＳ１１４）。
【００６１】
比較の結果、一致しない場合には（ステップＳ１１５：Ｎｏ）、認証情報の入力エラーとして、再入力を要求する。所定回数の入力エラーが発生した場合には、ユーザ認証処理を中止する。また、ホスト計算機２に対して電源ＯＦＦパケットを送信し、ホスト計算機２の電源をＯＦＦする処理を行う。
【００６２】
クライアント端末１のユーザ認証処理が中止された場合、ホスト計算機２へ電源ＯＦＦパケットを送信し（ステップＳ１１７）、ホスト計算機２を電源ＯＦＦする（ステップＳ３１７）。または、後述するタイムアウト処理にてホスト計算機２を電源ＯＦＦしてもよい（ステップＳ３１６）。
【００６３】
比較の結果、認証データが登録されていた場合には（ステップＳ１１５：Ｙｅｓ）、クライアント端末にシステムログオンし（ステップＳ１１６）、認証デバイス３からホスト計算機２の接続情報を読込んで（ステップＳ２１８）、ホスト計算機２へ接続後に（ステップＳ１１９）、システムログオンする（ステップＳ３１９）。
【００６４】
一方、ホスト計算機２が電源ＯＮされた後（ステップＳ３１２）、クライアント端末１からの接続が規定時間内になかった場合、タイムアウト処理を実行し（ステップＳ３１６）、ホスト計算機２の電源をＯＦＦする（ステップＳ３１７）。
【００６５】
次に、本発明の実施の形態において、接続出来ない場合の処理手順を図５に基づき説明する。なお、図４と重複する箇所については適宜省略する。
【００６６】
クライアント端末１がホスト計算機２に電源ＯＮパケット送信した後（ステップＳ１１２）、ホスト計算機２への接続処理により、ホスト端末２への接続を試みるまで（ステップＳ１１８）は図４と同様である。ただし、ホスト計算機２の電源ＯＮは失敗したものと考える。
【００６７】
ホスト計算機２が電源ＯＮしておらずホスト計算機２からのリプライが無い場合、クライアント端末１は接続エラーを通知して（ステップＳ１３９）、認証デバイス３からホスト計算機２のホスト計算機接続情報を改めて読出する（ステップＳ１４０、ステップＳ２４０）。その後、その再読出した情報を元にクライアント端末１はホスト計算機２に電源ＯＮパケットを送信する（ステップＳ１４１、ステップＳ３４１）。そして、再度ホスト計算機２への接続を試みて（ステップＳ１４２）、接続出来ない場合は、所定回数繰り返し電源ＯＮパケットを送信（ステップＳ３４１）し、接続を試みる。それでも接続できない場合は、接続エラーを通知し（ステップＳ１４３）、接続処理を中止（ステップＳ１４４）する。
【００６８】
以上の処理を実施することにより、ホスト計算機２に接続する前に、ホスト計算機２を電源ＯＮしていたことによって、従来のシンクライアントタイプの情報処理システムよりも使用可能になるまでの時間を短縮することが可能となる。
【００６９】
（第２の実施の形態）
図６は、本発明の上記実施の形態の変形例におけるユーザ操作とクライアント端末の処理内容と認証デバイスを用いた認証手順とホスト計算機の処理内容についてそれぞれ分けて示した図である。
【００７０】
第１の実施の形態と第２の実施の形態との相違は、第1の実施の形態がＯＳ上で動作するのに対し、第２の実施の形態ではブートストラップ処理を行うＢＩＯＳ上で動作する点にある。そしてクライアント端末に電源を投入すると、このＢＩＯＳがクライアント端末の初期化（ブートストラップ処理）を実行する。
【００７１】
図４では、ホスト計算機２の接続情報３１を認証デバイス３から読出して、ホスト計算機２を電源ＯＮする処理手順を示す。これに対し、本実施の形態に関する図６ではクライアント端末１を電源ＯＮした後（ステップＳ１２０）、オペレーティングシステム１２が起動する前のＢＩＯＳでのブートストラップ処理中に（ステップＳ１２１）、ホスト計算機接続情報３１に基づきホスト計算機２に対して電源ＯＮパッケトを送信することで、さらに使用可能になるまでの時間を短縮できる。すなわち、第１の実施の形態ではＯＳ起動後にＭａｇｉｃ  Ｐａｃｋｅｔを送信していたが、本実施の形態ではＢＩＯＳがＯＳ起動前にＭａｇｉｃ  Ｐａｃｋｅｔを送信することで、より早くホスト計算機の起動を行うことが可能になる。これに伴いＢＩＯＳが通信制御部１４及び外部インターフェイス処理部１６の初期化を行い、ＢＩＯＳがこれらの制御を行えるようにする必要がある。
【００７２】
ここまで本発明者によってなされた発明を実施の形態に基づき具体的に説明したが、本発明は前記の実施の形態に限定されるものではなく、その要旨を逸脱しない範囲で種々変更が可能であることは言うまでもない。
【産業上の利用可能性】
【００７３】
本発明はシンクライアントシステム及びそれに関わるクライアント及びサーバに適用可能であるが、必ずしもこれに限られない。すなわちサーバ・クライアントシステムにおいて早期にクライアント端末の起動をかける必要があるものについては適用の余地がある。
【図面の簡単な説明】
【００７４】
【図１】本発明に関わるシンクライアントシステムにおける構成及び接続形態を示す図である。
【図２】ホスト計算機接続情報の構成を表す概念図である。
【図３】従来までのシンクライアントシステムにおける処理手順を示す図である。
【図４】本発明の第１の実施の形態に関わるシンクライアントシステムにおける処理手順を示す図である。
【図５】本発明の第１の実施の形態に関わるシンクライアントシステムにおいて、ホスト計算機との接続ができないときの処理を示す図である。
【図６】本発明の第２の実施の形態に関わるシンクライアントシステムにおける処理手順を示す図である。
【符号の説明】
【００７５】
１…クライアント端末、２…ホスト計算機、３…認証デバイス、４…ネットワーク、
１３…中央演算処理部、１４…通信制御部、１５…画像表示処理部、
１６…外部インターフェイス処理部、１７…ディスプレイ、１８…入力装置、
１９…生体認証用センサ、２３…中央演算処理部、２４…通信制御部、
２５…外部インターフェイス処理部、２６…画像表示処理部、２７…データ記憶部、
３０…ユーザ生体認証データ、３１…ホスト計算機接続情報、
３２…ＭＡＣアドレス、３３…ＩＰアドレス、３４…サブネットマスク、
３５…デフォルトゲートウェイ
【図１】
2009037385.tif 000003
【図２】
2009037385.tif 000004
【図３】
2009037385.tif 000005
【図４】
2009037385.tif 000006
【図５】
2009037385.tif 000007
【図６】
2009037385.tif 000008